【手続補正書】
【提出日】平成24年7月26日(2012.7.26)
【手続補正１】
【補正対象書類名】特許請求の範囲
【補正対象項目名】全文
【補正方法】変更
【補正の内容】
【特許請求の範囲】
【請求項１】
各々が複数の異なった表示状態に構成可能である第１のエレクトロウェッティング素子および第２のエレクトロウェッティング素子を含む複数のエレクトロウェッティング素子を有するディスプレイ機器と、
前記複数のエレクトロウェッティング素子を異なった表示状態の間で切り替えるために前記複数のエレクトロウェッティング素子を電気的にアドレッシングするための表示コントローラと
を含み、
前記表示コントローラは、
前記第１のエレクトロウェッティング素子を、第１のアドレッシング間隔で隔てて２回続いてアドレッシングし、前記第２のエレクトロウェッティング素子を、第２のアドレッシング間隔で隔てて２回続いてアドレッシングするように構成され、前記第２のアドレッシング間隔は前記第１のアドレッシング間隔より長い、エレクトロウェッティングシステム。
【請求項２】
前記第２のアドレッシング間隔の終わりに前記ディスプレイコントローラが前記第２のエレクトロウェッティング素子の前記表示状態をリフレッシュするように構成されている、請求項１に記載のエレクトロウェッティングシステム。
【請求項３】
前記第２のアドレッシング間隔が、人間の目が最も敏感なアドレッシング間隔よりも長い、請求項２に記載のエレクトロウェッティングシステム。
【請求項４】
前記表示コントローラが、前記第１のエレクトロウェッティング素子の前記表示状態を前記第１のアドレッシング間隔の終わりに変更するように構成されている、請求項１、２または３に記載のエレクトロウェッティングシステム。
【請求項５】
前記第１のアドレッシング間隔が、人間の目が最も敏感なアドレッシング間隔よりも短い、請求項４に記載のエレクトロウェッティングシステム。
【請求項６】
前記表示コントローラは、表示状態変化が必要とされるときに、所望のフレームレートに随意に従って、前記第１のエレクトロウェッティング素子の表示状態を変更するように構成されている、請求項４または５に記載のエレクトロウェッティングシステム。
【請求項７】
前記複数のエレクトロウェッティング素子のうちの少なくとも１つに電気的に接続される少なくとも１つのドライバ段を含み、
前記表示コントローラは、前記複数のエレクトロウェッティング素子のうちの少なくとも１つの前記表示状態を決定するように前記少なくとも１つのドライバ段を制御するように構成され、前記ドライバ段は高インピーダンス状態を有する、請求項１乃至６の何れか一項に記載のエレクトロウェッティングシステム。
【請求項８】
少なくとも１つのドライバ段が複数のエレクトロウェッティング素子に電気的に接続される、請求項７に記載のエレクトロウェッティングシステム。
【請求項９】
前記表示コントローラが、前記複数のエレクトロウェッティング素子の各々の前記表示状態を略同時にリフレッシュするように構成されている、請求項１乃至８の何れか一項に記載のエレクトロウェッティングシステム。
【請求項１０】
前記表示コントローラが、前記複数のエレクトロウェッティング素子の第１の組の前記表示状態を所定の時点でリフレッシュし、前記複数のエレクトロウェッティング素子の第２の異なった組の前記表示状態を異なった所定の時点でリフレッシュするように構成されている、請求項１乃至８の何れか一項に記載のエレクトロウェッティングシステム。
【請求項１１】
前記表示コントローラが、前記第１の組および前記第２の組をランダムにリフレッシュするように構成されている、請求項１０に記載のエレクトロウェッティングシステム。
【請求項１２】
前記第２のアドレッシング間隔の終わりに、前記表示コントローラが前記第２のエレクトロウェッティング素子の前記表示状態をリセットするように構成されている、請求項１乃至１１の何れか一項に記載のエレクトロウェッティングシステム。
【請求項１３】
前記複数のエレクトロウェッティング素子の各々を最後にアドレッシングしてから経過した時間を示すデータを記憶するメモリを有する、請求項１乃至１２の何れか一項に記載のエレクトロウェッティングシステム。
【請求項１４】
第１の画像を表す入力画像データを連続した第２の画像を表す入力画像データと比較して前記複数のエレクトロウェッティング素子のうち何れが表示状態変化を必要とするか識別する出力画像データを生成するように構成される画像データプロセッサを含む、請求項１乃至１３の何れか一項に記載のエレクトロウェッティングシステム。    
【請求項１５】
第１の画像と連続した第２の画像との間の画像差を示す入力画像データを処理して前記複数のエレクトロウェッティング素子のうち何れが表示状態変化を必要とするか識別するように構成される画像データプロセッサを含む、請求項１乃至１３の何れか一項に記載のエレクトロウェッティングシステム。
【請求項１６】
前記入力画像データが、前記複数のエレクトロウェッティング素子の各々の表示状態を周期的に示す、請求項１５に記載のエレクトロウェッティングシステム。
【請求項１７】
前記複数のエレクトロウェッティング素子が、前記第１のエレクトロウェッティング素子を含む第１の組および前記第２のエレクトロウェッティング素子を含む第２の組を有し、前記表示コントローラは、前記第１の組を、前記第１のアドレッシング間隔で隔てて２回続いてアドレッシングし、前記第２の組を、前記第２のアドレッシング間隔で隔てて２回続いてアドレッシングするように構成される、請求項１乃至１６の何れか一項に記載のエレクトロウェッティングシステム。
【請求項１８】
複数のエレクトロウェッティング素子を異なった表示状態の間で切り替えるために前記複数のエレクトロウェッティング素子を電気的にアドレッシングするための表示コントローラであって、
前記複数のエレクトロウェッティング素子は、第１のエレクトロウェッティング素子および第２のエレクトロウェッティング素子を含み、当該表示コントローラは、前記第１のエレクトロウェッティング素子を、第１のアドレッシング間隔で隔てて２回続いてアドレッシングし、前記第２のエレクトロウェッティング素子を、第２のアドレッシング間隔で隔てて２回続いてアドレッシングするように構成され、前記第２のアドレッシング間隔は前記第１のアドレッシング間隔よりも長い、表示コントローラ。
【請求項１９】
複数のエレクトロウェッティング素子のうちの少なくとも１つへの電気接続のためのドライバ段であって、
当該ドライバ段は、前記複数のエレクトロウェッティング素子を異なった表示状態の間で切り替えるために、表示コントローラの制御の下で、前記複数のエレクトロウェッティング素子のうちの少なくとも１つを電気的にアドレッシングするように構成され、前記複数のエレクトロウェッティング素子は、第１のエレクトロウェッティング素子および第２のエレクトロウェッティング素子を含み、当該ドライバ段は、前記第１のエレクトロウェッティング素子を第１のアドレッシング間隔の終わりにアドレッシングするのにおよび前記第２のエレクトロウェッティング素子を第２のアドレッシング間隔の終わりにアドレッシングするのに適しており、前記第２のアドレッシング間隔は前記第１のアドレッシング間隔よりも長い、ドライバ段。
【請求項２０】
高インピーダンス状態を有する、請求項１９に記載のドライバ段。
【請求項２１】
第１のエレクトロウェッティング素子および第２のエレクトロウェッティング素子を含む複数のエレクトロウェッティング素子を有するディスプレイ機器を制御する方法であって、
前記エレクトロウェッティング素子の各々が当該エレクトロウェッティング素子を電気的にアドレッシングすることにより複数の異なった表示状態に構成可能であり、
当該方法は、
a)前記第１のエレクトロウェッティング素子を、第１のアドレッシング間隔で隔てて２回続いてアドレッシングするステップと、
b)前記第２のエレクトロウェッティング素子を、第２のアドレッシング間隔で隔てて２回続いてアドレッシングするステップと
を含み、前記第２のアドレッシング間隔は前記第１のアドレッシング間隔より長い、方法。